(57)【要約】  生理用ナプキン、タンポン又は失禁用パッド等の衛生製品は、複数の繊維を有する布地から形成されている。可逆的蓄熱特性を有するマイクロカプセルは、繊維の少なくとも一部分に塗布されるか、又は結合剤を有する被膜によって繊維の少なくとも一部分、又は布地の表面上に塗布される。マイクロカプセルは、固体から液体への、及びその逆の相転移が１５℃〜４０℃の温度範囲内で起きる物質を含有する。【特許請求の範囲】
【請求項１】
複数の繊維によって形成された布地から成る、生理用ナプキン、タンポン又は失禁用パッド等の衛生製品であって、可逆的蓄熱特性を有するマイクロカプセル（３）が、前記繊維（２）の少なくとも一部分に含まれるか、又は結合剤を有する被膜（４）によって前記繊維（２）の若しくは前記布地（１）の表面の少なくとも一部分の上に塗布されており、前記マイクロカプセル（３）は、固体から液体への及びその逆への相転移が１５℃〜４０℃の温度範囲内で起きる物質を含む、衛生製品。
【請求項２】
前記マイクロカプセル（３）は相転移が１８℃〜３５℃の温度範囲内で起きる物質を含む請求項１記載の衛生製品。
【請求項３】
前記繊維（２）用の基材はビスコースから成る請求項１記載の衛生製品。
【請求項４】
前記繊維（２）は繊維不織布を形成するように処理されたものである請求項１〜請求項３何れか１項記載の衛生製品。
【請求項５】
前記布地（１）は複数の異なる前記繊維（２）から成り、少なくとも１つの前記繊維(２)は前記マイクロカプセル（３）を含む請求項１記載の衛生製品。。
【請求項６】
前記布地（１）は前記マイクロカプセル（３）が付着する前記繊維（２）の割合が１００％までに達するものである請求項１〜請求項５何れか１項記載の衛生製品。
【請求項７】
前記布地（１）には複数の層（１ａ、１ｂ、１ｃ、１ｄ）があり、該層（１ａ、１ｂ、１ｃ、１ｄ）の少なくとも１つにおいて、前記マイクロカプセル（３）が付随する前記繊維（２）の割合が１００％までに達するものである請求項６記載の衛生製品。
【請求項８】
前記衛生製品の装着者に面する前記布地の少なくとも内側の前記層（１ｄ）は、前記マイクロカプセル（３）を有する前記繊維（２）の割合が少なくとも１００％に近いものである請求項７記載の衛生製品。
【請求項９】
前記布地（１）には前記複数の層（１ａ、１ｂ、１ｃ、１ｄ）があり、前記衛生製品の装着者に面する少なくとも２つの内側の前記層（１ｃ、１ｄ）は、前記マイクロカプセル（３）を有する前記繊維（２）の割合が１００％までに達するものである請求項７記載の衛生製品。
【請求項１０】
前記マイクロカプセル（３）が付着する前記繊維（２）から成る前記布地（１）層の少なくとも一部分はビスコースで形成される請求項７〜請求項９何れか１項記載の衛生製品。
【請求項１１】
前記マイクロカプセル（３）が被膜（４）によって前記布地（１）の表面の少なくとも一部分の上に塗布される場合、液体ポリマーが結合剤である請求項１記載の衛生製品。
【請求項１２】
液体ポリマー結合剤はアクリレート又はポリウレタンから成る請求項６記載の衛生製品。
【請求項１３】
前記マイクロカプセル（３）に含む物質がパラフィン系炭化水素である請求項１〜請求項１２何れか１項記載の衛生製品。
【請求項１４】
パラフィン系炭化水素がオクタデカンである請求項１３記載の衛生製品。
【請求項１５】
前記マイクロカプセル（３）に含む物質がプラスチック結晶である請求項１〜請求項１４何れか１項記載の衛生製品。
【請求項１６】
前記マイクロカプセル（３）は直径が０．５μ〜１０００μの範囲にある請求項１〜請求項１５何れか１項記載の衛生製品。
【請求項１７】
前記マイクロカプセル（３）は直径が２μ〜３０μの範囲にある請求項１６記載の衛生製品。
【請求項１８】
複数の繊維によって形成された布地から成る、生理用ナプキン、タンポン又は失禁用パッド等の衛生製品を製造する方法であって、繊維不織布が、前記繊維（２）から製造され、可逆的蓄熱特性を有するとともに複数のマイクロカプセル（３）を組み込んで分散させた基材から形成された繊維が使用され、固体から液体への及びその逆の相転移が１５℃〜４０℃の温度範囲内で起きる物質が、前記マイクロカプセル（３）内に組み込まれる、衛生製品を製造する方法。
【請求項１９】
前記マイクロカプセル（３）は、前記相転移が１８℃〜３５℃の温度範囲内で起きる物質を付与されている、請求項１８記載の衛生製品を製造する方法。
【請求項２０】
複数の繊維によって形成された布地から成る、生理用ナプキン、タンポン又は失禁用パッド等の衛生製品を製造する方法であって、前記繊維（２）又は前記布地（１）の表面の少なくとも一部分に、マイクロカプセル（３）を分散させた結合剤を有する被膜（４）を設けており、固体から液体への、及びその逆の相転移が１５℃〜４０℃の温度範囲内で起きる物質が、前記マイクロカプセル（３）内に組み込まれる、衛生製品を製造する方法。
【請求項２１】
前記マイクロカプセル（３）は、前記相転移が１８℃〜３５℃の温度範囲内で起きる物質を付与されている、請求項２０記載の衛生製品を製造する方法。
【請求項２２】
ビスコースが前記繊維（２）の基材として使用される請求項１８〜請求項２０何れか１項記載の衛生製品を製造する方法。
【請求項２３】
パラフィン系炭化水素が前記マイクロカプセル（３）の物質として使用される請求項１８〜請求項２２何れか１項記載の衛生製品を製造する方法。
【請求項２４】
ポリマー結晶が前記マイクロカプセル（３）の物質として使用される請求項１８〜請求項２３何れか１項記載の衛生製品を製造する方法。
【請求項２５】
ポリウレタン又はアクリレートが液体ポリマー結合剤として使用される請求項２０〜請求項２４何れか１項記載の衛生製品を製造する方法。
【発明の詳細な説明】
【技術分野】
【０００１】
本発明は、複数の繊維によって形成された布地から成る、生理用ナプキン、タンポンまたは失禁用パッド等の衛生製品に関する。
【０００２】
本発明はまた、衛生製品を製造する方法にも関する。
【背景技術】
【０００３】
衛生製品は、通常、その基材及び断面によって高い吸収性のある繊維を用いる。ビスコースはその基材として頻繁に利用されている。繊維は、一般的に、経糸及び緯糸の織り合わせまたは編成によるのではなく、織物繊維の絡み合い及び／または付着的及び／または接着的相互結合により、柔軟な多孔性布地、通常は繊維不織布を形成するように処理される。これによって、非常に吸収性の高い目の粗い布地が製造される。繊維不織布を作るための既知の繊維は、通常はポリプロピレン、ポリエステルまたはビスコースの人工繊維またはフィラメントであり、それらの付着性は、一般的に、それらの自己接着性によって実現される。接着によって固結（consolidated）された繊維不織布は、液体結合剤で繊維を相互接着することにより、または繊維不織布の製造中に繊維不織布に混合されたバインダー繊維を融解または溶解することによって形成される。
【０００４】
付着による固結では、繊維表面を適当な化学薬品で可溶化し、圧力で結合させるか、または高温で互いに溶着させる。
【０００５】
既存の衛生製品に見られる欠点は、たとえば周辺温度が高かったり、あるいは衛生製品の使用者の身体活動によって温度が上昇したりすることで、発汗または汗ばみを発生させてしまい、それによる問題を生じてしまうという点である。
【発明の開示】
【発明が解決しようとする課題】
【０００６】
本発明の目的は、冒頭に述べた種類の衛生製品であって、より高い装着快適性を与え、特に過剰な体熱を吸収し、それにより発汗または汗ばみを低減させることができる衛生製品を提供することである。
【課題を解決するための手段】
【０００７】
本発明によると、上記目的は、可逆的な蓄熱特性を有するマイクロカプセルが、繊維の少なくとも一部分に含まれるか、または、結合剤を有する被膜によって繊維または布地の表面の少なくとも一部分の上に塗布されており、そのマイクロカプセルが、固体から液体への、及びその逆の相転移が１５℃〜４０℃の温度範囲内で起きる物質を含むことにより達成される。
【０００８】
本発明の、相転移物質を含むマイクロカプセルを有する繊維を組み込むことは、布地の装着快適性を明らかに改善する。過剰な体熱は、マイクロカプセル内の相転移物質によって吸収することができ、それにより、衛生製品を装着または使用する人の身体の過熱、つまり発汗または汗ばみを、明らかに低減させることができる。本発明のマイクロカプセルを有する繊維は、長期間にわたって身体の温度変動をならすことができる。これにて動的温度調整を実現することができる。
【０００９】
本発明の衛生製品は、自然法則を利用する。物質が固体から液体にまたはその逆に変化する相変化温度において、その物質は、他の相に変化する前の或る温度で、大量の熱エネルギを吸収して保持する。したがって、当該温度が上昇することができる前に、マイクロカプセルを一体化しているまたは他の方法で内部に配置している物質を、たとえば衛生製品用の吸収体として使用することができる。逆に、液体から固体への転移のためには、まず相変化物質から、その温度が低下することができる前に熱エネルギを除去しなければならないので、適当に予熱された物質を冷却に対する防護体として使用することも同様に可能である。しかしながら、この後者は、衛生製品の場合にはあまり関係ない。
【００１０】
本発明の衛生製品は様々な方法で製造することができる。
【００１１】
可能な一例は、相転移物質を含む本発明のマイクロカプセルを有する繊維を別個に製造し、その後、これらの繊維を他の繊維と組み合わせ、それにより繊維不織布を形成するように処理するものである。もちろん、繊維不織布全体を、マイクロカプセル及び相転移物質を有する本発明の繊維で製造することも可能である。
【００１２】
他の方法として、今まで使用されてきた「通常の」繊維または糸を使用することも可能である。その場合、これらを処理して布地、例えば繊維不織布を形成する前に、それらに結合剤を有する被膜を設けるが、その場合に本発明の相転移物質を有するマイクロカプセルを結合剤内に分散させる、または他の方法で収容する。
【００１３】
個々の繊維を被覆する代わりに、「標準」繊維から製造された布地に、結合剤を有する被膜を同様に設け、相転移物質を有するマイクロカプセルを結合剤内に含むことも可能である。
【００１４】
被覆は、例えば液体ポリマー結合剤で行ってもよく、これは、浸漬または噴霧動作で塗布される。もちろん、印刷、被覆または塗布処理も可能である。
【００１５】
本発明に従って、マイクロカプセル及びマイクロカプセル内に含まれる相転移物質を設けた布地はその後、既知の製造手順を使用してさらに処理され、それにより、従来通りに所望の最終製品を形成することができる。
【発明を実施するための最良の形態】
【００１６】
図１に示す生理用ナプキンは、複数の繊維２を有する繊維不織布の形の布地１から成る。図１に示す生理用ナプキンの代わりに、タンポン、失禁用パッド、おむつ等も、衛生製品として可能である。
【００１７】
衛生製品１は、以下のようにして布地内に組み込まれた複数のマイクロカプセル３を備える。
【００１８】
図２は、複数のマイクロカプセル３を組み込んだ繊維２を、大きく拡大した斜視図で示す。繊維２用の基材は、例えばポリマー、または他のセルロースであることができる。マイクロカプセル３は、固体から液体への、及びその逆の相転移が、１５℃〜４０℃、好ましくは１８℃〜３５℃の温度範囲内で起きる１つまたは複数の物質を含む。広範囲の物質がこれに適し、それらは個別に使用されるか、またはそれらを混合物として使用して、例えば、異なった転移温度によって、相転移物質が固体から液体へ転移する途中にそれらによる蓄熱が起きる温度スペクトルをより広くカバーすることができるようにする。
【００１９】
そのようなマイクロカプセル及び相転移物質は、繊維内への組み込みとともに、基本的にはすでに既知である。たとえば、ヨーロッパ特許第０３０６２０２Ｂ１号（＝米国特許第４，７５６，９５８号）を参照すべきであり、その開示内容は、全体的に本発明の一部でもある。マイクロカプセル３の内部の有用な熱転移物質の例は、パラフィン系の相変化炭化水素または他の可塑変形可能な結晶質である。
【００２０】
有用な結晶質は、例えば２，２−ジメチル−１，３プロパンジオール（ＤＭＰ）及び２−ハイドロオキシメチル−２−メチル−１，３−プロパンジオール（ＨＭＰ）を含む。そのような結晶が熱エネルギを吸収するとき、物質の相を変化させることなく、分子構造が一時的に変化する。
【００２１】
繊維用の基材は、ポリエステル、ナイロン、アクリル、モダクリル繊維等の合成ポリマー、またはビスコース等のセルロース繊維であることができる。
【００２２】
マイクロカプセル３の寸法は、０．５μｍ〜１０００μｍ、好ましくは２μｍ〜３０μｍであることができる。
【００２３】
衛生製品用の図１の布地１は、マイクロカプセル３を有する図２の繊維２のみから製造されるだけでなく、標準繊維と組み合わせて製造されることもでき、後者の場合、マイクロカプセル３を有する繊維２は、その他の標準繊維との複合物を形成するように適当に組み合わされる。
【００２４】
図３は、複数のマイクロカプセル３を内部に分散させた液体ポリマー結合剤の形の被膜４を備える布地１を示す。被膜を片側だけに、または両側に（破線の表示を参照されたい）設けてもよい。
【００２５】
被覆方法及びその構造は、基本的にすでに既知であり、そのため、ここではさらなる詳細を示さない。例えば、ヨーロッパ特許第０６１１３３０Ｂ１号（＝米国特許第５，３６６，８０１号）を参照すべきであり、それも同様に、本発明の開示内容の一部を形成する。
【００２６】
布地１を被覆する代わりに、図４に示すように、マイクロカプセル３を内部に分散させた被膜４で標準繊維２を別個に包囲し、その後、それらから、または他の繊維と組み合わせて、繊維不織布を製造することも可能である。
【００２７】
複数の別個の繊維２を有する繊維不織布から衛生製品を製造する代わりに、マイクロカプセルを有する複合繊維から衛生製品を製造することもできる。布地１は、繊維体（fibre body）として複合繊維から形成されることができ、その場合、繊維の少なくとも一部がマイクロカプセル３を含む。この方法も同様に、基本的にすでに既知であり、その開示内容も同様に、本発明の内容の一部を形成するものとする。米国特許第２００３／００３５９５１Ａ１号を参照されたい。
【００２８】
マイクロカプセル３を有するセルロース繊維から衛生製品を製造することも、同様に可能である。国際公開第ＷＯ２００５／０１７２４７Ａ２号がさらなる詳細を与えており、これも同様に、本発明の開示内容の一部を形成するものとする。セルロース繊維の利点は、それらがかなりの量の水分を吸収することができることである。しかしながら、従来のセルロース繊維は、湿ったとき、たとえば汗で湿ったときに、体熱を十分に放出することができず、したがって、結果的に装着快適性が損なわれる点で不利である。この点について、本発明は、相転移物質を有するマイクロカプセル３を繊維内に組み込むことによって改善を行う。
【００２９】
相転移物質を含むマイクロカプセル３を有する繊維２を他の繊維と部分的に混合することができ、あるいは布地をこれらの繊維１００％までで構成することができる。
【００３０】
図５は、衛生製品１として生理用ナプキンを示し、生理用ナプキンは、布地１ａ〜１ｄの複数層、例えば４層（図示のように）で形成されている。
【００３１】
生理用ナプキンの装着者に面する内側の層（複数可）は身体に最も近いので、少なくとも内側の層１ｄまたは２つの最も内側の層１ｃ及び１ｄに、マイクロカプセル３を有する繊維２を設ける。最も内側の層１ｄまたは２つの最も内側の層１ｃ及び１ｄはそれぞれ、マイクロカプセル３を有する繊維２で全体が、または必要ならば一部分だけが形成されてもよい。
【００３２】
マイクロカプセル３を有する繊維２を設けた、またはこれらで形成された少なくともその層のための好適な材料として、ビスコースが特に好都合であることがわかるであろう。
【００３３】
ビスコースの代わりに、他の材料も可能であり、同様に、生理用ナプキンの複数層を、マイクロカプセル３を有する繊維２で形成することも可能であることは、理解されるであろう。同様に、図示の４層の数は、もちろん予定される仕様に応じて選択されてもよい。
【図面の簡単な説明】
【００３４】
【図１】衛生製品としての生理用ナプキンの平面図である。
【図２】マイクロカプセルから成る繊維を大きく拡大した図である。
【図３】結合剤とマイクロカプセルとから成る被膜を備えた生理用ナプキンの詳細な図である。
【図４】マイクロカプセルから成る結合剤からできた被膜を備える繊維の拡大図である。
【図５】布地の複数層から成る衛生製品を示す図である。
【図１】
2009501032.tif 000002
【図２】
2009501032.tif 000003
【図３】
2009501032.tif 000004
【図４】
2009501032.tif 000005
【図５】
2009501032.tif 000006
【国際調査報告】
2009501032.tif 000007
2009501032.tif 000008
2009501032.tif 000009